(57)【要約】【課題】ＲＦＩＤタグにおいて、低消費電力化を図ること。【解決手段】ＲＦＩＤタグ２は受信部３、記憶部４、テーブル５、判定部６、制御部７および信号発生部９を備え、ＲＦＩＤリーダライタ１と情報を送受信する。受信部３は、ＲＦＩＤリーダライタ１から送信される場所情報を受信する。記憶部４は場所情報を記憶する。テーブル５は場所情報の変化と移動方向との対応関係を記憶する。判定部６は、受信部３で受信した場所情報と、記憶部４で記憶している前回受信した場所情報とから、テーブル５を参照して移動方向を判定する。制御部７は、ＲＦＩＤタグ２が内蔵する電池８から供給される電力によって駆動される。信号発生部９は、判定部６で、移動方向が判定できた場合に、制御部７へ割り込み信号を通知し、判定部６で、移動方向が判定できない場合に、割り込み信号の生成を中止する。【選択図】図１
2012043159.tif 000002
【特許請求の範囲】
【請求項１】
ＲＦＩＤリーダライタと情報を送受信するＲＦＩＤタグであって、
前記ＲＦＩＤリーダライタから送信される場所情報を受信する受信部と、
前記場所情報を記憶する記憶部と、
前記場所情報の変化と移動方向との対応関係を記憶するテーブルと、
前記受信部で受信した場所情報と、前記記憶部で記憶している前回受信した場所情報とから、前記テーブルを参照して移動方向を判定する判定部と、
前記判定部で、移動方向が判定できた場合に、内蔵する電池から供給される電力によって駆動される制御部へ割り込み信号を通知し、前記判定部で、移動方向が判定できない場合に、前記割り込み信号の生成を中止する信号発生部と、
を備えることを特徴とするＲＦＩＤタグ。
【請求項２】
前記判定部で、移動方向が判定できた場合に、移動方向を格納部へ記録して、移動方向を通知する通知部、を備え、
前記受信部、前記判定部および前記場所情報を記憶する際の前記記憶部は、前記ＲＦＩＤリーダライタから送出される電波を変換して得られた電力によって駆動されることを特徴とする請求項１に記載のＲＦＩＤタグ。
【請求項３】
前記通知部が通知した移動方向に応じてアプリケーションの起動および終了を制御する制御部、を備えることを特徴とする請求項２に記載のＲＦＩＤタグ。
【請求項４】
前記通知部が通知した移動方向に応じて、内蔵するデバイスの電源のオンおよびオフを制御する制御部、を備えることを特徴とする請求項２に記載のＲＦＩＤタグ。
【請求項５】
前記記憶部は、前回受信した場所情報を記憶する格納部と、今回受信した場所情報を記憶するバッファと、を含むことを特徴とする請求項１〜４のいずれか一つに記載のＲＦＩＤタグ。
【発明の詳細な説明】
【技術分野】
【０００１】
この発明は、ＲＦＩＤ（Ｒａｄｉｏ  Ｆｒｅｑｕｅｎｃｙ  Ｉｄｅｎｔｉｆｉｃａｔｉｏｎ）タグに関する。
【背景技術】
【０００２】
従来、ユーザにＲＦＩＤタグを携帯させ、ゲートなどの特定の場所に設置したＲＦＩＤリーダライタとＲＦＩＤタグとの間で通信を行うことによって、ＲＦＩＤタグに情報を表示させるシステムがある。このシステムでは、ユーザが特定の場所に近づいたときの方向を検出することができない。そのため、ユーザが特定の場所に近づくときの方向に応じてユーザに伝える情報を変えることはできない。また、移動体に２個のＲＦＩＤタグを取り付け、ＲＦＩＤリーダライタが移動体の２個のＲＦＩＤタグを検出した順序によって移動体の移動方向を求めるシステムがある。このシステムでは、ＲＦＩＤリーダライタが移動体の移動方向を知ることができるが、ＲＦＩＤタグ自体は自分の移動方向を知ることができない。そのため、例えばＲＦＩＤタグが自分の移動方向に応じて自立的に所定の動作を開始するというサービスを行うことができない。
【先行技術文献】
【特許文献】
【０００３】
【特許文献１】特開２００１−３４４５７８号公報
【特許文献２】特開２００７−２０５７５４号公報
【発明の概要】
【発明が解決しようとする課題】
【０００４】
そこで、例えば次のような構成にすれば、ＲＦＩＤタグが自分の移動方向を判断し、移動方向に応じた動作を自立的に行うようにすることができると考えられる。例えば、ＲＦＩＤリーダライタが複数のアンテナを有し、各アンテナに固有のＩＤ（Ｉｄｅｎｔｉｆｉｅｒ、識別子）情報が付与されている。そして、各アンテナにＲＦＩＤタグが近づいたときに各アンテナからＲＦＩＤタグ内のメモリに固有のＩＤ情報が書き込まれる。ＲＦＩＤタグは、ＩＤ情報が書き込まれた順序に基づいて自分の移動方向を知ることができるので、移動方向に応じた動作を行うことが可能となる。
【０００５】
しかしながら、ＲＦＩＤタグ内において、例えばアプリケーションや内蔵するセンサの動作などを制御するコントローラは、ＩＤ情報が書き込まれたメモリに複数回アクセスして複数のＩＤ情報を読み出すため、メモリアクセスによる消費電力が増えてしまう。ＲＦＩＤタグ内のコントローラがメモリにアクセスする際には、メモリは、ＲＦＩＤタグに内蔵された電池から供給される電力によって駆動される。従って、上述したようにコントローラによるメモリアクセスの回数が増える構成では、電池の持ちが悪くなるという問題点がある。特に、例えば強誘電体メモリ（ＦＲＡＭ：Ｆｅｒｒｏｅｌｅｃｔｒｉｃ  Ｒａｎｄｏｍ  Ａｃｃｅｓｓ  Ｍｅｍｏｒｙ）のように消費電力が多いタイプのメモリを用いた場合には、より一層電池の持ちが悪くなってしまう。
【０００６】
低消費電力化を図ることができるＲＦＩＤタグを提供することを目的とする。
【課題を解決するための手段】
【０００７】
ＲＦＩＤタグは受信部、記憶部、テーブル、判定部、制御部および信号発生部を備え、ＲＦＩＤリーダライタと情報を送受信する。受信部は、ＲＦＩＤリーダライタから送信される場所情報を受信する。記憶部は場所情報を記憶する。テーブルは場所情報の変化と移動方向との対応関係を記憶する。判定部は、受信部で受信した場所情報と、記憶部で記憶している前回受信した場所情報とから、テーブルを参照して移動方向を判定する。制御部は、ＲＦＩＤタグが内蔵する電池から供給される電力によって駆動される。信号発生部は、判定部で、移動方向が判定できた場合に、制御部へ割り込み信号を通知し、判定部で、移動方向が判定できない場合に、割り込み信号の生成を中止する。
【発明の効果】
【０００８】
ＲＦＩＤタグにおいて、低消費電力化を図ることができるという効果を奏する。
【図面の簡単な説明】
【０００９】
【図１】実施例１にかかるＲＦＩＤタグを示すブロック図である。
【図２】実施例２にかかるＲＦＩＤタグを用いたシステムを示すブロック図である。
【図３】実施例２にかかるＲＦＩＤタグを用いたシステムにおける設定テーブルの一例を示す図表である。
【図４】実施例２にかかるＲＦＩＤタグを示すブロック図である。
【図５】実施例２にかかるＲＦＩＤタグにおける比較判定テーブルの一例を示す図表である。
【図６】実施例２にかかるＲＦＩＤタグの通過検知処理手順を示すフローチャートである。
【図７】実施例２にかかるＲＦＩＤタグのコントローラ側の処理手順の一例を示すフローチャートである。
【図８】実施例２にかかるＲＦＩＤタグを用いたシステムの動作を示すタイミング図である。
【図９】実施例３にかかるＲＦＩＤタグを示すブロック図である。
【図１０】実施例３にかかるＲＦＩＤタグの通過検知処理手順を示すフローチャートである。
【図１１】実施例３にかかるＲＦＩＤタグのコントローラ側の処理手順の一例を示すフローチャートである。
【発明を実施するための形態】
【００１０】
以下に添付図面を参照して、このＲＦＩＤタグの好適な実施の形態を詳細に説明する。ＲＦＩＤタグは、ＲＦＩＤリーダライタから送信される場所情報を記憶し、記憶しておいた場所情報と、新たに受信した場所情報とを比較して、移動方向を判定できた場合にのみ割り込み信号を通知するものである。以下の各実施例の説明においては、同様の構成要素には同一の符号を付して、重複する説明を省略する。
【００１１】
（実施例１）
・ＲＦＩＤタグの説明
図１は、実施例１にかかるＲＦＩＤタグを示すブロック図である。図１に示すように、ＲＦＩＤタグ２はＲＦＩＤリーダライタ１と情報を送受信する。ＲＦＩＤタグ２は受信部３、記憶部４、テーブル５、判定部６、制御部７および信号発生部９を備えている。受信部３は、ＲＦＩＤリーダライタ１から送信される場所情報を受信する。記憶部４は場所情報を記憶する。テーブル５は場所情報の変化と移動方向との対応関係を記憶する。判定部６は、受信部３で受信した場所情報と、記憶部４で記憶している前回受信した場所情報とから、テーブル５を参照して移動方向を判定する。制御部７は、ＲＦＩＤタグ２が内蔵する電池８から供給される電力によって駆動される。信号発生部９は、判定部６で、移動方向が判定できた場合に、制御部７へ割り込み信号を通知し、判定部６で、移動方向が判定できない場合に、割り込み信号の生成を中止する。
【００１２】
実施例１によれば、ＲＦＩＤタグ２の移動方向が判定できた場合に、制御部７が電池８で駆動され、信号発生部９が制御部７に割り込み信号を通知する。ＲＦＩＤタグ２の移動方向が判定できない場合には、信号発生部９は割り込み信号の生成を中止するので、ＲＦＩＤタグ２の移動方向が判定できた場合に電池の電力が消費される。電池の電力を利用して複数回のメモリアクセスを行ってメモリから複数の場所情報を読み出してＲＦＩＤタグ２の移動方向を判定する場合に比べて、電池の電力の消費を減らすことができる。従って、ＲＦＩＤタグ２の低消費電力化を図ることができる。
【００１３】
（実施例２）
・ＲＦＩＤタグを用いたシステムの説明
図２は、実施例２にかかるＲＦＩＤタグを用いたシステムを示すブロック図である。図２に示すように、ホスト１１は、後述する設定テーブルに従ってＲＦＩＤリーダライタ１２のアンテナごとに場所情報として例えばアンテナを一意に識別する場所ＩＤ情報を設定する。ホスト１１はＲＦＩＤタグ１７に送信するコマンドやパラメータなどを設定する。
【００１４】
ＲＦＩＤリーダライタ１２は送信データ生成回路１３および送信ＲＦ（Ｒａｄｉｏ  Ｆｒｅｑｕｅｎｃｙ）回路１４、複数のアンテナ、例えばアンテナ１＿１５およびアンテナ２＿１６を備えている。送信データ生成回路１３は、ホスト１１によりアンテナごとに設定された場所ＩＤ情報、コマンドおよびパラメータなどに基づいてＲＦＩＤタグ１７へ送信するデータを生成する。送信ＲＦ回路１４は、送信データ生成回路１３により生成されたデータに対して符号化および変調処理を行い、送信信号としてアンテナ１＿１５およびアンテナ２＿１６から送信する。アンテナ１＿１５およびアンテナ２＿１６は、ＲＦＩＤタグ１７のアンテナ１８により識別可能な程度に離れて配置されている。
【００１５】
・設定テーブルの説明
図３は、実施例２にかかるＲＦＩＤタグを用いたシステムにおける設定テーブルの一例を示す図表である。図３に示すように、設定テーブル１９には、ＲＦＩＤリーダライタ１２のアンテナごとに、アンテナに付与する場所ＩＤ情報と、その場所ＩＤ情報を該当するアンテナから送信する時間が設定されている。図３に示す例では、例えばアンテナ１＿１５から場所ＩＤ情報として０１が１００ｍｓ間送信され、例えばアンテナ２＿１６から場所ＩＤ情報として０２が１００ｍｓ間送信される設定となっている。
【００１６】
図２に示すように、ＲＦＩＤタグ１７は、例えば場所ＩＤ情報０１の受信の次に場所ＩＤ情報０２を受信すると、ＲＦＩＤリーダライタ１２の近くをアンテナ１＿１５からアンテナ２＿１６へ向かう方向（Ａ方向）に通過したことを検知する。ＲＦＩＤタグ１７は、例えば場所ＩＤ情報０２の受信の次に場所ＩＤ情報０１を受信すると、ＲＦＩＤリーダライタ１２の近くをアンテナ２＿１６からアンテナ１＿１５へ向かう方向（Ｂ方向）に通過したことを検知する。
【００１７】
・ＲＦＩＤタグの説明
図４は、実施例２にかかるＲＦＩＤタグを示すブロック図である。図４に示すように、ＲＦＩＤタグ１７はパッシブタグ部２１を備えている。パッシブタグ部２１は受信部として例えば、ＲＦ部２２、論理回路部２３および記憶部として例えば、パッシブタグ部２１に内蔵された不揮発性メモリ３０を有する。ＲＦ部２２は、ＲＦＩＤリーダライタ１２から送信される信号をアンテナ１８を介して受信する。ＲＦ部２２は受信信号に対して復調および復号処理を行って場所ＩＤ情報、コマンドおよびパラメータなどのデータを出力する。
【００１８】
論理回路部２３は信号発生部として例えば割り込み発生部２４、判定部として例えば比較判定部２５、場所ＩＤ書込コマンド検出部２６、通知部の一部として通過検知結果書込部２７、場所ＩＤ情報読取部２８および場所ＩＤ情報書込部２９を有する。場所ＩＤ書込コマンド検出部２６はＲＦ部２２の出力データから場所ＩＤ書込コマンドを検出し、今回の場所ＩＤ情報として比較判定部２５に渡す。比較判定部２５は場所ＩＤ情報読取部２８を介して、不揮発性メモリ３０の場所ＩＤ格納部３２に格納されている前回の場所ＩＤ情報を読み取る。比較判定部２５は今回の場所ＩＤ情報と前回の場所ＩＤ情報とを比較し、テーブルとして例えば後述する比較判定テーブルを参照してＲＦＩＤタグ１７の移動方向を判定する。比較判定テーブルは場所ＩＤ情報の変化とＲＦＩＤタグ１７の移動方向との対応関係を記憶している。比較判定部２５は移動方向の判定結果を通過検知結果書込部２７へ渡す。
【００１９】
通過検知結果書込部２７は移動方向の判定結果を不揮発性メモリ３０の通過検知結果格納部３１へ渡す。通過検知結果書込部２７は、移動方向の判定結果に基づいて割り込み発生部２４に割り込み要求信号を出力する。割り込み発生部２４は、割り込み要求信号を受け付けると割り込み信号を後述するコントローラ３４の割り込み検出部３５へ出力する。場所ＩＤ情報読取部２８は場所ＩＤ格納部３２から前回の場所ＩＤ情報を読み出して比較判定部２５へ渡す。比較判定部２５は今回の場所ＩＤ情報を場所ＩＤ情報書込部２９へ渡す。場所ＩＤ情報書込部２９は今回の場所ＩＤ情報を前回の場所ＩＤ情報として場所ＩＤ格納部３２に書き込む。
【００２０】
また、論理回路部２３は、図示省略した電源再生回路を有する。電源再生回路は、アンテナ１８を介して受信した電波を電力に変換する。パッシブタグ部２１の各構成部は、電源再生回路から供給される電力によって動作する。
【００２１】
不揮発性メモリ３０は格納部として例えば通過検知結果格納部３１および記憶部における格納部として例えば場所ＩＤ格納部３２を有する。通過検知結果格納部３１は、通過検知結果書込部２７により書き込まれた移動方向の判定結果を格納する。場所ＩＤ格納部３２は、場所ＩＤ情報書込部２９により書き込まれた今回の場所ＩＤ情報を前回の場所ＩＤ情報として格納する。不揮発性メモリ３０は、例えば論理回路部２３および後述するコントローラ３４の両方からアクセス可能なデュアルポートメモリを備えている。不揮発性メモリ３０は例えば強誘電体メモリであってもよい。
【００２２】
また、ＲＦＩＤタグ１７は、制御部３３、コントローラ３４、電源スイッチ３７、電源回路３８、電池３９、アプリ制御部４０、加速度センサ４１などのセンサ、Ｗｉ−Ｆｉなどの無線モジュール４２、入力部４３およびメモリ４４を備えている。コントローラ３４はＲＦＩＤタグ１７の移動方向の判定結果に基づいて電源、センサやモジュールなどのデバイスおよびアプリケーションなどを制御する。コントローラ３４は、電源回路３８を介して電池３９から供給される電力によって駆動される。コントローラ３４は通知部の一部として例えば割り込み検出部３５および通知部の一部として例えば結果読取部３６を有する。
【００２３】
割り込み検出部３５は割り込み発生部２４からの割り込み信号を検出すると、割り込みを検出したことを結果読取部３６へ通知する。結果読取部３６は、割り込み検出部３５からの通知を受け取ると、通過検知結果格納部３１からＲＦＩＤタグ１７の移動方向の判定結果を読み取り、ＲＦＩＤタグ１７が通過したか否かおよび通過したときの移動方向の情報を制御部３３へ渡す。
【００２４】
また、割り込み検出部３５は割り込み発生部２４からの割り込み信号を検出すると、電源スイッチ３７へ切り替え信号を出力する。電源スイッチ３７は、切り替え信号の入力によって電源回路３８を介して電池３９の電力を不揮発性メモリ３０へ供給する。つまり、不揮発性メモリ３０には、論理回路部２３がアクセスする際には上述したように電源再生回路から電力が供給され、コントローラ３４がアクセスする際には電池３９から電力が供給される。
【００２５】
制御部３３は、ＲＦＩＤタグ１７が通過したか否かおよび通過したときの移動方向の情報に基づいて例えばアプリ制御部４０、加速度センサ４１または無線モジュール４２を制御する。例えば制御部３３はアプリ制御部４０に対してアプリケーションの起動および終了などの動作を指示する。例えば制御部３３は加速度センサ４１や無線モジュール４２の電源のオンおよびオフを制御する。制御部３３による制御内容については、例えば制御テーブルにより規定されている。
【００２６】
例えば制御テーブルには、ＲＦＩＤタグ１７の移動方向がＡ方向（図２参照）、すなわち前回の場所ＩＤ情報が０１であり、今回の場所ＩＤ情報が０２である場合、加速度センサ４１の電源をオンにし、アプリ制御部４０によりアプリケーションを起動し、無線モジュール４２の電源をオフにすることが規定されていてもよい。また、例えば制御テーブルには、ＲＦＩＤタグ１７の移動方向がＢ方向（図２参照）、すなわち前回の場所ＩＤ情報が０２であり、今回の場所ＩＤ情報が０１である場合、加速度センサ４１の電源をオフにし、無線モジュール４２の電源をオンにし、アプリ制御部４０によりアプリケーションを終了することが規定されていてもよい。
【００２７】
入力部４３は、キーやボタンやスイッチ、あるいはタッチパネルなどである。メモリ４４はオペレーティングシステム（ＯＳ：Ｏｐｅｒａｔｉｎｇ  Ｓｙｓｔｅｍ）やアプリケーションプログラムを格納していたり、ＯＳやアプリケーションプログラムの作業領域として使用される。ＲＦＩＤタグ１７の一例として、例えばＲＦＩＤタグを備えた携帯電話機が挙げられる。
【００２８】
・比較判定テーブルの説明
図５は、実施例２にかかるＲＦＩＤタグにおける比較判定テーブルの一例を示す図表である。図５に示すように、比較判定テーブル４５には、前回の場所ＩＤ情報と今回の場所ＩＤ情報との組み合わせに対するＲＦＩＤタグ１７の移動方向の判定結果および判定後のＲＦＩＤタグ１７内の動作が規定されている。前回の場所ＩＤ情報は場所ＩＤ格納部３２から読み込まれる。今回の場所ＩＤ情報は場所ＩＤ書込コマンド検出部２６から得られる。
【００２９】
例えば前回の場所ＩＤ情報と今回の場所ＩＤ情報との組み合わせを［前回の場所ＩＤ情報，今回の場所ＩＤ情報］と表すこととする。また、アンテナ１＿１５およびアンテナ２＿１６以外の第３のアンテナの場所ＩＤ情報を０３とする。この第３のアンテナはＲＦＩＤタグ１７の移動方向の検知には用いられていない。例えば［００，０１］、［００，０２］、［０１，０１］、［０２，０２］、［００，０３］、［０１，０３］および［０２，０３］の場合、ＲＦＩＤタグ１７の移動方向の判定結果は、通過検知無しを表す０である。例えば［００，０１］、［００，０２］、［０１，０１］および［０２，０２］の場合、判定後のＲＦＩＤタグ１７内の動作は何もしないとなっている。例えば［００，０３］、［０１，０３］および［０２，０３］の場合、判定後のＲＦＩＤタグ１７内の動作は場所ＩＤ格納部３２に前回の場所ＩＤ情報として００を書き込むとなっている。
【００３０】
例えば［０１，０２］の場合、ＲＦＩＤタグ１７の移動方向の判定結果は、Ａ方向に通過したことを表すＡである。判定後のＲＦＩＤタグ１７内の動作は、通過検知結果格納部３１にＡを書き込み、通過検知結果書込部２７から割り込み発生部２４へ割り込み要求信号を出力するとなっている。例えば［０２，０１］の場合、ＲＦＩＤタグ１７の移動方向の判定結果は、Ｂ方向に通過したことを表すＢである。判定後のＲＦＩＤタグ１７内の動作は、通過検知結果格納部３１にＢを書き込み、通過検知結果書込部２７から割り込み発生部２４へ割り込み要求信号を出力するとなっている。
【００３１】
・通過検知処理の説明
図６は、実施例２にかかるＲＦＩＤタグの通過検知処理手順を示すフローチャートである。図６に示すように、ＲＦＩＤタグ１７で通過検知処理が開始されると、まず、場所ＩＤ書込コマンド検出部２６が場所ＩＤ書込コマンドを検出するまで（ステップＳ２：Ｎｏ）、場所ＩＤ情報読取部２８は場所ＩＤ格納部３２からデータ（前回の場所ＩＤ情報）を読み出して比較判定部２５へ渡す（ステップＳ１）。
【００３２】
場所ＩＤ書込コマンド検出部２６が場所ＩＤ書込コマンドを検出すると（ステップＳ２：Ｙｅｓ）、比較判定部２５は場所ＩＤ書込コマンド検出部２６から、場所ＩＤ書込コマンドに含まれている新規の場所ＩＤ情報（今回の場所ＩＤ情報）を受け取って場所ＩＤ情報書込部２９へ渡す。場所ＩＤ情報書込部２９は、比較判定部２５から受け取った新規の場所ＩＤ情報を場所ＩＤ格納部３２に上書きする（ステップＳ３）。
【００３３】
次いで、比較判定部２５は前回の場所ＩＤ情報と今回の場所ＩＤ情報とを比較し、比較判定テーブル４５を参照してＲＦＩＤタグ１７の移動方向を判定する（ステップＳ４）。判定の結果、ＲＦＩＤタグ１７がＡ方向またはＢ方向に通過したことを検知した場合（ステップＳ４：通過検知あり）、比較判定部２５は判定結果を通過検知結果書込部２７へ渡す。通過検知結果書込部２７はその判定結果を通過検知結果格納部３１へ書き込む（ステップＳ５）。
【００３４】
また、通過検知結果書込部２７は割り込み発生部２４に割り込み要求信号を出力する（ステップＳ６）。それによって、割り込み発生部２４は割り込み信号を割り込み検出部３５へ出力する。次いで、コントローラ３４側の処理が行われる（ステップＳ７）。そして、ステップＳ１に戻り、ステップＳ１からステップＳ７間での処理を繰り返す。一方、ＲＦＩＤタグ１７の移動方向を判定した結果、ＲＦＩＤタグ１７が通過したことを検知しない場合（ステップＳ４：通過検知なし）、ステップＳ１に戻る。
【００３５】
・コントローラ側の処理
図７は、実施例２にかかるＲＦＩＤタグのコントローラ側の処理手順の一例を示すフローチャートである。図７に示すように、ＲＦＩＤタグ１７のコントローラ３４側では、割り込み検出部３５が割り込み信号を検出するまでコントローラ３４はスリープ状態で待機する（ステップＳ１１：Ｎｏ）。割り込み検出部３５は割り込み信号を検出すると（ステップＳ１１：Ｙｅｓ）、電源スイッチ３７へ切り替え信号を出力する。それによって、電源スイッチ３７が切り替わり、電源回路３８が電池３９から不揮発性メモリ３０に電力を供給する（ステップＳ１２）。
【００３６】
次いで、結果読取部３６は通過検知結果格納部３１からＲＦＩＤタグ１７の移動方向の判定結果を読み込む（ステップＳ１３）。通過検知結果格納部３１からの判定結果の読み込みが終了すると、電池３９から不揮発性メモリ３０への電力供給が停止する。すなわち、不揮発性メモリ３０の電源がディセーブルされる（ステップＳ１４）。次いで、制御部３３は、結果読取部３６からＲＦＩＤタグ１７の通過の有無および移動方向の情報を受け取り、制御テーブルの内容に従って処理を行う（ステップＳ１５）。
【００３７】
例えばＲＦＩＤタグ１７の移動方向がＡ方向である場合（ステップＳ１５：Ａ方向）、制御部３３は、アプリ制御部４０によりアプリケーションを起動し（ステップＳ１６）、加速度センサ４１の電源をオンにし（ステップＳ１７）、無線モジュール（Ｗｉ−Ｆｉ）４２の電源をオフにする（ステップＳ１８）。一方、例えばＲＦＩＤタグ１７の移動方向がＢ方向である場合（ステップＳ１５：Ｂ方向）、制御部３３は、アプリ制御部４０によりアプリケーションを終了し（ステップＳ１９）、加速度センサ４１の電源をオフにし（ステップＳ２０）、無線モジュール（Ｗｉ−Ｆｉ）４２の電源をオンにする（ステップＳ２１）。そして、コントローラ３４側の処理を終了する。
【００３８】
・ＲＦＩＤタグを用いたシステムの動作の説明
図８は、実施例２にかかるＲＦＩＤタグを用いたシステムの動作を示すタイミング図である。符号５１で示すように、ＲＦＩＤリーダライタ１２、すなわち場所ＩＤ情報の送信側は、例えば設定テーブル１９に従ってアンテナ１＿１５、アンテナ２＿１６および図示しない第３のアンテナを時分割で切り替えながらそれぞれのアンテナから場所ＩＤ情報を常時送信する。
【００３９】
符号５２で示すように、ＲＦＩＤタグ１７、すなわち場所ＩＤ情報の受信側は、例えばアンテナ１＿１５に接近するまでは割り込み待ち状態、すなわちスリープ状態にある。スリープ状態のときに電池で消費する電力は極小である。ＲＦＩＤタグ１７が例えばアンテナ１＿１５に接近すると、符号５３で示すように、ＲＦＩＤタグ１７は、アンテナ１＿１５から送信された場所ＩＤ書込コマンドを受信する。続いて、符号５４で示すように、ＲＦＩＤタグ１７は、場所ＩＤ格納部３２に格納されている前回の場所ＩＤ情報（ここでは、００）と場所ＩＤ書込コマンドによる今回の場所ＩＤ情報（ここでは、０１）と比較判定テーブル４５とに基づいて、ＲＦＩＤタグ１７の通過検知無しと判定する。従って、ＲＦＩＤタグ１７において何も動作しない。また、ＲＦＩＤタグ１７は、場所ＩＤ格納部３２に０１を書き込む。そして、符号５５で示すように、ＲＦＩＤタグ１７はスリープ状態に復帰する。
【００４０】
スリープ状態にあるときにＲＦＩＤタグ１７が例えばアンテナ２＿１６に接近すると、符号５６で示すように、ＲＦＩＤタグ１７は、アンテナ２＿１６から送信された場所ＩＤ書込コマンドを受信する。続いて、符号５７で示すように、ＲＦＩＤタグ１７は、場所ＩＤ格納部３２に格納されている前回の場所ＩＤ情報（ここでは、０１）と場所ＩＤ書込コマンドによる今回の場所ＩＤ情報（ここでは、０２）と比較判定テーブル４５とに基づいて、ＲＦＩＤタグ１７がＡ方向へ通過したと判定する。そして、符号５８で示すように、不揮発性メモリ３０に電池３９から電力が供給される。この状態で、結果読取部３６が通過検知結果格納部３１からＲＦＩＤタグ１７の移動方向の判定結果を読み取って制御部３３へ通知する。続いて、符号５９で示すように、不揮発性メモリ３０の電源がディセーブルされ、制御部３３は制御テーブルに従って処理を行う。また、ＲＦＩＤタグ１７は、場所ＩＤ格納部３２に０２を書き込む。そして、符号６０で示すように、ＲＦＩＤタグ１７はスリープ状態に復帰する。
【００４１】
スリープ状態にあるときにＲＦＩＤタグ１７が例えば第３のアンテナに接近すると、符号６１で示すように、ＲＦＩＤタグ１７は、第３のアンテナから送信された場所ＩＤ書込コマンドを受信する。続いて、符号６２で示すように、ＲＦＩＤタグ１７は、場所ＩＤ格納部３２に格納されている前回の場所ＩＤ情報（ここでは、０２）と場所ＩＤ書込コマンドによる今回の場所ＩＤ情報（ここでは、０３）と比較判定テーブル４５とに基づいて、ＲＦＩＤタグ１７の通過検知無しと判定する。また、ＲＦＩＤタグ１７は場所ＩＤ格納部３２に００を書き込む。そして、符号６３で示すように、ＲＦＩＤタグ１７はスリープ状態に復帰する。
【００４２】
実施例２によれば、アンテナ１８を介して受信した電波から変換された電力を利用してパッシブタグ部２１内でＲＦＩＤタグ１７の移動方向の判定が行われ、その判定結果がコントローラ３４側に読み出されるときに電池３９の電力が消費される。従って、電池の電力を利用してパッシブメモリに対して複数回、例えば２回のメモリアクセスを行って複数、例えば２個の場所ＩＤ情報を読み出してＲＦＩＤタグ１７の移動方向を判定する場合に比べて、電池の電力の消費を減らすことができる。つまり、ＲＦＩＤタグ１７の低消費電力化を図ることができる。
【００４３】
（実施例３）
・ＲＦＩＤタグの説明
図９は、実施例３にかかるＲＦＩＤタグを示すブロック図である。図９に示すように、実施例３にかかるＲＦＩＤタグが図４に示す実施例２のＲＦＩＤタグと異なるのは、場所ＩＤ書込コマンドの受信後すぐに、場所ＩＤ書込コマンドの受信によって得た新規の場所ＩＤ情報をバッファなどのメモリに格納するようにしたことである。ＲＦＩＤタグ１７は、例えば不揮発性メモリ３０にバッファとして例えば場所ＩＤ格納バッファ４６を有する。
【００４４】
場所ＩＤ書込コマンド検出部２６は新規の場所ＩＤ情報を場所ＩＤ情報書込部２９に渡す。場所ＩＤ情報書込部２９は新規の場所ＩＤ情報を場所ＩＤ格納バッファ４６に書き込む。場所ＩＤ情報読取部２８は場所ＩＤ格納バッファ４６から新規の場所ＩＤ情報を読み取って今回の場所ＩＤ情報として比較判定部２５に渡す。パッシブタグ部２１のその他の構成は実施例２と同様である。
【００４５】
また、一例として実施例３では、制御部３３によって制御されるセンサとして例えば加速度センサ４１および温度センサ４７が設けられている。また、例えばアプリ制御部４０および無線モジュール４２は設けられていない。このような構成において、例えば制御テーブルには、ＲＦＩＤタグ１７の移動方向がＡ方向（図２参照）である場合、温度センサ４７の電源をオンにし、加速度センサ４１の電源をオフにすることが規定されていてもよい。また、例えば制御テーブルには、ＲＦＩＤタグ１７の移動方向がＢ方向（図２参照）である場合、温度センサ４７の電源をオフにし、加速度センサ４１の電源をオンにすることが規定されていてもよい。
【００４６】
・通過検知処理の説明
図１０は、実施例３にかかるＲＦＩＤタグの通過検知処理手順を示すフローチャートである。図１０に示すように、ＲＦＩＤタグ１７で通過検知処理が開始されると、まず、場所ＩＤ書込コマンド検出部２６が場所ＩＤ書込コマンドを検出するまで（ステップＳ３１：Ｎｏ）、場所ＩＤ情報書込部２９は待機する。場所ＩＤ書込コマンド検出部２６が場所ＩＤ書込コマンドを検出すると（ステップＳ３１：Ｙｅｓ）、場所ＩＤ書込コマンド検出部２６は、場所ＩＤ書込コマンドに含まれている新規の場所ＩＤ情報を場所ＩＤ情報書込部２９へ渡す。場所ＩＤ情報書込部２９は、場所ＩＤ書込コマンド検出部２６から受け取った新規の場所ＩＤ情報を場所ＩＤ格納バッファ４６に書き込む（ステップＳ３２）。
【００４７】
次いで、場所ＩＤ情報読取部２８は場所ＩＤ格納バッファ４６からデータを読み出して今回の場所ＩＤ情報として比較判定部２５に渡す。また、場所ＩＤ情報読取部２８は場所ＩＤ格納部３２からデータを読み出して前回の場所ＩＤ情報として比較判定部２５へ渡す（ステップＳ３３）。次いで、比較判定部２５は今回の場所ＩＤ情報を場所ＩＤ情報書込部２９へ渡す。場所ＩＤ情報書込部２９は、比較判定部２５から受け取った今回の場所ＩＤ情報を場所ＩＤ格納部３２に書き込む（ステップＳ３４）。
【００４８】
これ以降は実施例２の図６に示すフローチャートのステップＳ４からステップＳ７までの処理と同様である（ステップＳ３５〜ステップＳ３８）。
【００４９】
・コントローラ側の処理
図１１は、実施例３にかかるＲＦＩＤタグのコントローラ側の処理手順の一例を示すフローチャートである。図１１に示すように、ＲＦＩＤタグ１７のコントローラ３４側の処理が開始されると、まず、実施例２の図７に示すフローチャートのステップＳ１１からステップＳ１５までと同様の処理が行われる（ステップＳ４１〜ステップＳ４５）。そして、例えばＲＦＩＤタグ１７の移動方向がＡ方向である場合（ステップＳ４５：Ａ方向）、制御部３３は温度センサ４７の電源をオンにし（ステップＳ４６）、加速度センサ４１の電源をオフにする（ステップＳ４７）。一方、例えばＲＦＩＤタグ１７の移動方向がＢ方向である場合（ステップＳ４５：Ｂ方向）、制御部３３は温度センサ４７の電源をオフにし（ステップＳ４８）、加速度センサ４１の電源をオンにする（ステップＳ４９）。そして、コントローラ３４側の処理を終了する。
【００５０】
・ＲＦＩＤタグを用いたシステムの動作の説明
実施例３にかかるＲＦＩＤタグを用いたシステムの動作を示すタイミング図は図８と同様である。ただし、実施例２と異なる点は以下の通りである。
【００５１】
図８の符号５３で示すタイミングにおいて、ＲＦＩＤタグ１７は、アンテナ１＿１５から送信された場所ＩＤ書込コマンドを受信すると、アンテナ１＿１５の場所ＩＤ情報０１を場所ＩＤ格納バッファ４６に格納する。図８の符号５４で示すタイミングにおいて、ＲＦＩＤタグ１７は、場所ＩＤ格納部３２に格納されている前回の場所ＩＤ情報（ここでは、００）と場所ＩＤ格納バッファ４６に格納されている今回の場所ＩＤ情報（ここでは、０１）と比較判定テーブル４５とに基づいて、ＲＦＩＤタグ１７の通過検知無しと判定する。また、ＲＦＩＤタグ１７は、場所ＩＤ格納バッファ４６に格納されている場所ＩＤ情報（ここでは、０１）を場所ＩＤ格納部３２に書き込む。
【００５２】
図８の符号５６で示すタイミングにおいて、ＲＦＩＤタグ１７は、アンテナ２＿１６から送信された場所ＩＤ書込コマンドを受信すると、アンテナ２＿１６の場所ＩＤ情報０２を場所ＩＤ格納バッファ４６に格納する。図８の符号５７で示すタイミングにおいて、ＲＦＩＤタグ１７は、場所ＩＤ格納部３２に格納されている前回の場所ＩＤ情報（ここでは、０１）と場所ＩＤ格納バッファ４６に格納されている今回の場所ＩＤ情報（ここでは、０２）と比較判定テーブル４５とに基づいて、ＲＦＩＤタグ１７がＡ方向へ通過したと判定する。また、ＲＦＩＤタグ１７は、場所ＩＤ格納バッファ４６に格納されている場所ＩＤ情報（ここでは、０２）を場所ＩＤ格納部３２に書き込む。
【００５３】
図８の符号６１で示すタイミングにおいて、ＲＦＩＤタグ１７は、第３のアンテナから送信された場所ＩＤ書込コマンドを受信すると、第３のアンテナの場所ＩＤ情報０３を場所ＩＤ格納バッファ４６に格納する。図８の符号６２で示すタイミングにおいて、ＲＦＩＤタグ１７は、場所ＩＤ格納部３２に格納されている前回の場所ＩＤ情報（ここでは、０２）と場所ＩＤ格納バッファ４６に格納されている今回の場所ＩＤ情報（ここでは、０３）と比較判定テーブル４５とに基づいて、ＲＦＩＤタグ１７の通過検知無しと判定する。また、ＲＦＩＤタグ１７は場所ＩＤ格納部３２に００を書き込む。
【００５４】
実施例３によれば、実施例２と同様の効果が得られる。また、ＲＦＩＤタグ１７が、場所ＩＤ書込コマンドの受信後すぐに、受信した場所ＩＤ情報を場所ＩＤ格納バッファ４６に格納するので、通信状態が悪い場合でも、ＲＦＩＤタグ１７の移動方向を判定している途中で新規の場所ＩＤ情報が消失するのを防ぐことができる。
【符号の説明】
【００５５】
１  ＲＦＩＤリーダライタ
２  ＲＦＩＤタグ
３  受信部
４  記憶部
５  テーブル
６  判定部
７，３３  制御部
８  電池
９  信号発生部
３２  格納部
４６  バッファ
【図１】
2012043159.tif 000003
【図２】
2012043159.tif 000004
【図３】
2012043159.tif 000005
【図４】
2012043159.tif 000006
【図５】
2012043159.tif 000007
【図６】
2012043159.tif 000008
【図７】
2012043159.tif 000009
【図８】
2012043159.tif 000010
【図９】
2012043159.tif 000011
【図１０】
2012043159.tif 000012
【図１１】
2012043159.tif 000013